(57)【要約】【課題】  光源部による照明光の反射効率を良好に確保すると共に、樹脂製の支持枠部材の剛性を向上し、表示ユニット全体の薄型化を図る。【解決手段】  液晶表示板１１ａと、この液晶表示板１１ａの外周部を支持する樹脂製の支持フレーム１２と、液晶表示板１１ａを透過させる照明光を出射する光源部１３と、支持フレーム１２に固定されて設けられ、光源部１３からの照明光を液晶表示板１１ａに向けて反射させる平坦な反射面１４ａが形成された金属製の反射板１４とを備える。【選択図】  図３
2006330378.tif 000002
【特許請求の範囲】
【請求項１】
液晶表示板と、
前記液晶表示板の外周部を支持する樹脂製の支持枠部材と、
前記液晶表示板を透過させる照明光を出射する光源部と、
前記支持枠部材に固定されて設けられ、前記光源部からの照明光を前記液晶表示板に向けて反射させる平坦な反射面が形成された金属製の反射板とを備える表示ユニット。
【請求項２】
前記反射板は、前記支持枠部材に接着剤で接合されている請求項１に記載の表示ユニット。
【請求項３】
前記反射板は、前記支持枠材に溶着されて接合されている請求項１に記載の表示ユニット。
【請求項４】
前記反射板には、前記反射面に白色塗料が塗布されている請求項１ないし３のいずれか１項に記載の表示ユニット。
【請求項５】
前記反射面は、前記金属板が鏡面仕上げされた加工面である請求項１ないし４のいずれか１項に記載の表示ユニット。
【請求項６】
請求項１ないし５のいずれか１項に記載の表示ユニットを備える電子機器。
【請求項７】
請求項１ないし５のいずれか１項に記載の表示ユニットと、情報通信を行うための通信手段とを備える情報通信端末。
【発明の詳細な説明】
【技術分野】
【０００１】
本発明は、例えば、液晶表示板を有する表示ユニット、電子機器および情報通信端末に関する。
【背景技術】
【０００２】
従来、例えば携帯型電話機等の表示ユニットを備える電子機器では、液晶表示板を透過させる照明光を出射する光源部を有する、いわゆるバックライトが使用されている。
【０００３】
この種のバックライトを備える従来の電子機器の一例としては、表示パネルの外周部を支持するプラスチックフレームおよび金属フレームを備え、金属フレームに、表示パネルに照明光を照射する管状光源を支持する光源支持部材が取り付けられ、この管状光源を覆うようにコ字状に湾曲された反射板を備える平面型表示装置の構成が開示されている（例えば、特許文献１参照。）
また、バックライトモジュールを備える従来の携帯型電話機は、文字や図形等の映像を表示する表示ユニットと、この表示ユニットを覆う外筐とを備えている。表示ユニットは、図４に示すように、いわゆる透過光型の液晶表示ユニットであって、液晶表示板１１１ａを有する液晶表示モジュール１１１と、液晶表示板１１１ａの外周部を支持する樹脂製の支持フレーム１１２と、液晶表示板１１１ａを透過させる照明光を出射する複数の発光ダイオード（以下、ＬＥＤと称する。）を有する光源部１１３と、この光源部１１３による照明光を液晶表示板１１１ａに向けて反射させる反射シート１１４とを備えている。
【０００４】
また、この表示ユニットには、光源部１１３による照明光を液晶表示板１１１ａに照射するための光学系として、光源部１１３側から液晶表示モジュール１１１に向かう光路順に、導光板１１５、拡散シート１１６、第１および第２のレンズシート１１７，１１８が積み重ねて配置されている。そして、液晶表示モジュール１１１は、液晶表示板１１１ａの外周部に亘って、支持フレーム１１２の支持面上に両面接着シート１１９を介して接着固定されている。
【０００５】
従来の携帯型電話機では、導光板の光源部側の面に、反射シートを両面接着テープや接着剤等で貼り付けて設けられる構造や、光源部を支持する支持フレームに反射シート（反射フィルム）を配置し、この反射シート上に導光板を配置する構造等が一般的に採用されている。
【特許文献１】特開２００１−２０９３２７号公報（図１）
【発明の開示】
【発明が解決しようとする課題】
【０００６】
しかしながら、上述した従来の構造では、以下の問題があった。
【０００７】
図５に示すように、導光板１１５の光源部１１３側の裏面に、反射シート１１４が両面接着テープで貼り付けられて設けられる構造の場合には、導光板１１５の外周部が、枠状の支持フレーム１１２によって支持されて、支持フレーム１１２および導光板１１５の裏面に、反射シート１１４が貼り付けられる構造が採られているため、バックライトモジュール自体の厚みを薄くすることができるが、支持フレーム１１２が枠状になり、剛性が劣化してしまう不都合がある。
【０００８】
一方、光源部を支持する支持フレームに反射シートを配置し、この反射シート上に導光板を配置する構造では、支持フレームの剛性が向上されるが、厚みが厚くなり、装置全体の薄型化を図る点で逆行してしまう不都合がある。
【０００９】
また、支持フレームの剛性を高めるために、樹脂製の支持フレームに金属材をインサート成型したり、支持フレームに比較的剛性が高い樹脂材料を使用したりする場合には、製造コストが増加してしまう不都合がある。
【００１０】
さらに、支持フレームとしては、一般的には反射性が高い白色が望ましいが、支持フレームに上述のような樹脂材料が添加されることで、支持フレームの色が黄色味がかってしまい、つまり白色が純白色でなくなることで、表示ユニットとしての性能に影響が及ぶという問題があった。
【００１１】
また、特許文献１に開示されている構成は、表示パネルを支持する金属フレームを備えることで、支持フレームの剛性を確保できるものの、重量が嵩んでしまうという不都合があり、特に軽量化が求められる携帯型の電子機器には不適当である。
【００１２】
そこで、本発明は、光源部による照明光の反射効率を良好に確保すると共に、樹脂製の支持枠部材の剛性を向上し、表示ユニット全体の薄型化を図ることができる表示ユニット、電子機器および情報通信端末を提供することを目的とする。
【課題を解決するための手段】
【００１３】
上述した目的を達成するため、本発明に係る表示ユニットは、液晶表示板と、この液晶表示板の外周部を支持する樹脂製の支持枠部材と、液晶表示板を透過させる照明光を出射する光源部と、支持枠部材に固定されて設けられ光源部からの照明光を液晶表示板に向けて反射させる平坦な反射面が形成された金属製の反射板とを備える。
【００１４】
以上のように構成した本発明に係る表示ユニットによれば、樹脂製の支持枠部材に、金属製の反射板が固定されて設けられたことで、反射板の剛性によって支持枠部材の機械的強度が補強されるので、支持枠部材の剛性が向上される。したがって、この表示ユニットによれば、比較的薄い板材である金属板によって支持枠部材が補強されることで、支持枠部材の厚みを必要以上に大きくすることなく、表示ユニット全体の薄型化が図られる。また、この表示ユニットによれば、金属製の反射板の反射面で照明光が反射されることで、光源部による照明光の反射効率が良好に確保される。
【００１５】
また、本発明に係る表示ユニットが備える反射板には、反射面に白色塗料が塗布されてもよい。この白色塗料によって、反射面による反射光の指向性が高められ、反射効率が更に向上される。
【００１６】
また、本発明に係る電子機器は、上述の本発明に係る表示ユニットを備える。
【００１７】
また、本発明に係る情報通信端末は、上述の発明に係る表示ユニットと、情報通信を行うための通信手段とを備える。
【発明の効果】
【００１８】
上述したように本発明によれば、液晶表示板を支持する樹脂製の支持枠部材に、平坦な反射面が形成された金属製の反射板が固定されてことで、光源部からの照明光を反射面で効率的に反射して液晶表示板を良好に照明すると共に、金属製の反射板によって樹脂製の支持枠部材の剛性を向上し、表示ユニット全体の薄型化を図ることができる。
【発明を実施するための最良の形態】
【００１９】
以下、本発明の具体的な実施形態について、図面を参照して説明する。
【００２０】
図１に表示ユニットの斜視図を示し、図２に表示ユニットの分解斜視図を示す。本実施形態の携帯型電話機は、図１に示すように、文字や図形等の映像を表示する表示ユニット５と、この表示ユニット５を覆う外筐（不図示）とを備えている。
【００２１】
表示ユニット５は、いわゆる透過光型の液晶表示ユニットであって、図２に示すように、液晶表示板１１ａを有する液晶表示モジュール１１と、液晶表示板１１ａの外周部を支持する樹脂製の支持フレーム１２と、液晶表示板１１ａを透過させる照明光を出射する複数の発光ダイオード（以下、ＬＥＤと称する。）を有する光源部１３と、この光源部１３による照明光を液晶表示板１１ａに向けて反射させる反射面１４ａが形成された金属製の反射板１４とを備えている。
【００２２】
また、この表示ユニット５には、光源部１３による照明光を液晶表示板１１ａに導くための光学系として、光源部１３側から液晶表示モジュール１１に向かう光路順に、導光板１５、拡散シート１６、第１および第２のレンズシート１７，１８が積み重ねて配置されている。表示ユニット５は、これら光学系によって、光源部１３による照明光が効率的に液晶表示板１１ａに照射される。
【００２３】
そして、液晶表示モジュール１１は、液晶表示板１１ａの外周部に亘って、支持フレーム１２の支持面上に、四角枠状の両面接着シート１９を介して接着固定されている。
【００２４】
反射板１４は、例えばブライト材（鏡面仕上げ材）等の金属材料によって平板状に形成されており、一方の主面上に鏡面仕上げ等の研磨加工が施されることで、加工面である平坦な反射面１４ａが形成されている。そして、反射板１４は、図３に示すように、支持フレーム１２の内周部に一体に形成された支持面上に、この反射板１４の外周部に亘って接着剤や両面接着テープ等によって接合固定されている。なお、反射板１４は、必要に応じて、支持フレーム１２に溶着で接合固定されてもよい。また、光源部１３は、支持フレーム１２に支持されており、液晶表示板１１ａの短辺方向の一側面近傍に対応する位置に配置されている。この光源部１３には、複数のＬＥＤが、各光軸を液晶表示板の長辺方向と平行にして配列されている。
【００２５】
上述したように本実施形態の表示ユニット５によれば、従来の反射シートの代わりとして、平坦な反射面１４ａが形成された金属製の反射板１４を備えることによって、金属製の反射板１４の剛性によって樹脂製の支持フレーム１２の機械的強度が補強されるので、支持フレーム１２の剛性が向上される。したがって、この表示ユニットに５よれば、比較的薄い板材である反射板１４によって支持フレーム１２が補強されることで、支持枠フレーム１２の厚みを必要以上に大きくすることなく、表示ユニット５全体の薄型化が図られる。また、この表示ユニットによれば、金属製の反射板１４の反射面１４ａで照明光が反射されることで、光源部１３による照明光の反射効率が良好に確保される。
【００２６】
したがって、表示ユニット５によれば、従来のように支持フレームの剛性を上げるために、光源部を支持する支持フレームを金属材料で形成したり、剛性が比較的高い樹脂材料を使用したりすることで生じる不都合を避けることができる。このため、表示ユニット５によれば、製造コストの増加を抑え、樹脂製の支持フレームを反射性が高い白色に保つことができる。
【００２７】
そして、本発明に係る表示ユニットによれば、樹脂製の支持フレームが金属製の反射板によって支持されることで、金属製の支持フレームを用いる構成に比較して、ユニット全体の重量の増加が抑えられるので、特に携帯型の電子機器等の軽量化が求められる電子機器に好適である。
【００２８】
（他の実施形態）
上述した本実施形態の構成では、金属製の反射板の反射面が鏡面仕上げされる構成が採られたが、反射面による反射光の指向性を高める必要がある場合には、反射板１４の反射面１４ａ上に白色塗料で印刷（塗装）が施されてもよく、反射効率を更に向上することができる。
【図面の簡単な説明】
【００２９】
【図１】本実施形態の表示ユニットを示す斜視図である。
【図２】前記表示ユニットを示す分解斜視図である。
【図３】支持フレームに固定された反射板を示す斜視図である。
【図４】従来の表示ユニットを説明するための分解斜視図である。
【図５】従来の支持フレームに対する導光板、反射シートの固定状態を示す斜視図である。
【符号の説明】
【００３０】
５  表示ユニット
１１  液晶表示モジュール
１１ａ  液晶表示板
１２  支持フレーム
１３  光源部
１４  反射板
１４ａ  反射面
【図１】
2006330378.tif 000003
【図２】
2006330378.tif 000004
【図３】
2006330378.tif 000005
【図４】
2006330378.tif 000006
【図５】
2006330378.tif 000007